(57)【要約】【課題】光源装置の整った医院内ではなく、学校や他の施設における歯科検診では、光源の確保が難しく、小形ライトやペンライトを使うなど、大変な不便を感じているのが現状であるという問題があった。【解決手段】把持柄１の端部に所望の角度で折れ曲がった折曲げ部２が設けられ、この折曲げ部２に口内鏡３が装着され、この口内鏡３と折曲げ部２が接続された部分に発光体としてＬＥＤ４が装着され、又、把持柄１の内部に圧電材５が装着され、この圧電材５に対向して押圧部材６が把持柄１から突出して装着され、圧電材５とＬＥＤ４とはリード線７で接続されている。【選択図】        図１
2004188034.tif 000002
【特許請求の範囲】
【請求項１】
把持柄の端部に把持柄から所望の角度で傾斜した口内鏡を装着した歯科用鏡において、前記把持柄の内部に圧電体を装着し、該圧電体に対向する把持柄に押圧部材を装着し、前記口内鏡の鏡面側にＬＥＤを装着し、前記圧電体と前記ＬＥＤをリード線で接続し、前記押圧部材を押圧して前記圧電体から発生した起電力で前記ＬＥＤを発光させることを特徴とする歯科用鏡。
【請求項２】
前記口内鏡は前記把持柄に着脱可能に装着することを特徴とする請求項１記載の歯科用鏡。
【請求項３】
前記圧電体は圧電ゴムであることを特徴とする請求項１記載の歯科用鏡。
【請求項４】
前記ＬＥＤは前記口内鏡の周囲に１つ又は複数個装着することを特徴とする請求項１記載の歯科用鏡。
【請求項５】
前記ＬＥＤは前記口内鏡の中心に１つ装着することを特徴とする請求項１記載の歯科用鏡。
【発明の詳細な説明】
【０００１】
【発明が属する技術分野】
本発明は、口内鏡に発光体を装着した歯科用鏡に関するものである。
【０００２】
【従来の技術】
従来、歯科医が歯の治療をする場合、歯科医院内では、発光装置から直接光を口内に照射したり、歯科医が頭に装着した頭部鏡に発光装置からの光を反射して口内を照射し、口内鏡を口内に入れて照射された光を歯の裏側に反射して、歯の治療をするようにしている。
【０００３】
【発明が解決しようとする課題】
しかしながら、光源装置の整った医院内ではなく、学校や他の施設における歯科検診では、光源の確保が難しく、小形ライトやペンライトを使うなど、大変な不便を感じているのが現状であるという問題があった。
【０００４】
【課題を解決しようとする手段】
本発明は、把持柄の端部に把持柄から所望の角度で傾斜した口内鏡を装着した歯科用鏡において、前記把持柄の内部に圧電体を装着し、該圧電体に対向する把持柄に押圧部材を装着し、前記口内鏡の鏡面側にＬＥＤを装着し、前記圧電体と前記ＬＥＤをリード線で接続し、前記押圧部材を押圧して前記圧電体から発生した起電力で前記ＬＥＤを発光させるものであり、又、前記口内鏡は前記把持柄に着脱可能に装着するものであり、さらに、前記圧電体は圧電ゴムであり、又、前記ＬＥＤは前記口内鏡の周囲に１つ又は複数個装着するものであり、さらに、前記ＬＥＤは前記口内鏡の中心に１つ装着するものである。
【０００５】
【発明の実施の形態】
本発明では、把持柄の内部に圧電体を装着し、把持柄に装着した押圧部材により圧電体を押圧することにより、圧電体から起電力が発生し、この起電力を口内鏡に装着したＬＥＤに印加することにより発光するので、外部から口内に光を照射する必要がなく、ＬＥＤで発光しながら歯の裏側を口内鏡で見ることができ、又、ＬＥＤは電力の消費が少ないので、数秒の間照射することができ、十分に歯の裏側を観察することができ、又、ＬＥＤの発光が停止すると、再び押圧部材で圧電体を押圧することにより起電力が発生し、ＬＥＤを発光することができる。
【０００６】
【実施例】
図１は本発明の実施例の歯科用鏡の斜視図、図２は図１の歯科用鏡の側面図で、把持柄１の端部に所望の角度で折れ曲がった折曲げ部２が設けられ、この折曲げ部２に口内鏡３が装着され、この口内鏡３と折曲げ部２が接続された部分に発光体としてＬＥＤ４が装着され、又、把持柄１の内部に圧電材５が装着され、この圧電材５に対向して押圧部材６が把持柄１から突出して装着され、圧電材５とＬＥＤ４とはリード線７で接続されている。
【０００７】
このように構成された本実施例の歯科用鏡は、把持柄１を持ち、押圧部材６を親指等で押すと、圧電材５から起電力が発生し、その起電力によってＬＥＤ４を発光することができるので、この発光によって口内を照射すると、歯の裏側を確実に照射でき、又、ＬＥＤ４の発光が暗くなる前に、押圧部材６を押圧すると、又、発光が強くなるので、この押圧部材６の押圧を繰り返すことにより発光が持続し、口内が見やすくなり、又、歯の裏側も確実に照射されて、治療がし易くなる。
【０００８】
なお、図１及び図２の実施例では、ＬＥＤ４を口内鏡３の折曲げ部２の接続部分に装着した例を示したが、図３に示すように、口内鏡３の中心又はその近傍に装着してもよい。
【０００９】
このように構成した実施例においても、押圧部材６を押圧すると、ＬＥＤ４が発光するので、この発光によって口内を照射すると、歯の裏側や表面を確実に照射でき、又、ＬＥＤ４の発光が暗くなる前に、押圧部材６を押圧すると、発光が強くなるので、この押圧部材６の押圧を繰り返すことにより発光が持続し、口内が見易くなり、又、歯の裏側も確実に照射されて、治療がし易くなる。
【００１０】
図４は本発明の他の実施例の歯科用鏡の側面図で、１は把持柄、２は折曲げ部、３は口内鏡、４はＬＥＤ、５は圧電材、６は押圧部材、７はリード線で、これらの構成は上記実施例と同じであるので説明は省略するが、本実施例では、把持柄１の端部と折曲げ部２の間を接続部８をはめ込み又はネジ係合により着脱自在に構成している。
【００１１】
本実施例は、このように構成することにより、口内鏡３が患者の口内に挿入されるので、口内鏡３に付着した細菌が他の患者に感染しないように、一人の患者を治療した後、口内鏡３と折曲げ部２を接続部８で把持柄１から外し、消毒された口内鏡３を取り付けることができるように構成している。
【００１２】
なお、図３の実施例の歯科用鏡では、把持柄１から口内鏡３を取り外して、消毒された口内鏡を同じ把持柄１に装着するようにしているが、図１の歯科用鏡のように、歯科用鏡全体を消毒するようにしてもよいし、又、上記実施例では、口内鏡３の中心又は近傍にＬＥＤ４を１つ装着した例を説明したが、ＬＥＤ４を口内鏡３の周囲に１又は複数個設けてもよいし、さらに、圧電体５は圧電ゴムでもよい。
【００１３】
【発明の効果】
以上説明したように、本発明の歯科用鏡では、把持柄の内部に圧電体を装着し、把持柄に装着した押圧部材により圧電体を押圧することにより、圧電体から起電力が発生し、この起電力を口内鏡に装着したＬＥＤに印加することにより発光するので、外部から口内に光を照射する必要がなく、ＬＥＤで発光しながら歯の裏側を口内鏡で見ることができ、又、ＬＥＤは電力の消費が少ないので、数秒の間照射することができ、十分に歯の裏側を観察することができ、又、ＬＥＤの発光が停止すると、再び押圧部材で圧電体を押圧することにより起電力が発生し、ＬＥＤを発光することができるという利点がある。
【図面の簡単な説明】
【図１】本発明の実施例の歯科用鏡の斜視図である。
【図２】図１の歯科用鏡の側面図である。
【図３】本発明の他の実施例の歯科用鏡の側面図である。
【図４】本発明のさらに他の実施例の歯科用鏡の側面図である。
【符号の説明】
１              把持柄
２              折曲げ部
３              口内鏡
４              ＬＥＤ
５              圧電体
６              押圧部材
７              リード線
８              接続部
【図１】
2004188034.tif 000003
【図２】
2004188034.tif 000004
【図３】
2004188034.tif 000005
【図４】
2004188034.tif 000006